(57)【特許請求の範囲】
【請求項１】
操作枠と、この操作枠の下端に設けた軸受部にネジ結合され、操作枠の回転により操作枠の軸方向に相対的に進退するネジ軸とを備え、操作枠の上端に、ラッシングロッドを操作枠に対して進退自在に挿通するロッド受け部を設け、このロッド受け部に、ラッシングロッドを操作枠内に出し入れする二股部を形成し、ロッド受け部の下面に、ラッシングロッドの下端に所定のピッチで設けられた突部を嵌合するポケット部を設けた、ラッシングロッド緊張用ターンバックルにおいて、上記ラッシングロッドを操作枠内に出し入れする二股部の開口を開閉する開閉アームをロッド受け部に設け、上記開閉アームが、二股部の開口方向と直交する方向に回転軸によって回転可能に設けられ、この回転軸に開閉アームを閉じる方向に付勢するつる巻バネを設けたことを特徴とするラッシングロッド緊張用ターンバックル。
【請求項２】
上記開閉アームを開位置と閉位置で固定するロック手段を開閉アームと二股部との間に設けたことを特徴とする請求項１記載のラッシングロッド緊張用ターンバックル。
【発明の詳細な説明】
【技術分野】
【０００１】
この発明は、主としてコンテナ固締用のラッシングロッドを緊張させるターンバックルに関するものである。
【背景技術】
【０００２】
一般に、多数のコンテナを船舶輸送する場合、図１４に示すように、複数のコンテナ１を上下に積み重ね、各コンテナ１のコーナ金具２に設けた係合孔３に、ラッシングロッド４の一端を連結し、このラッシングロッド４の他端とデッキに設けられた係留金具５とをターンバックル６で連結し、このターンバックル６の回転操作により、ラッシングロッド４を緊張させて各段のコンテナ１を固締している。
【０００３】
ところで、ターンバックル６の締め付け作業を能率よく行うためには、ターンバックル６の回転操作量を少なくする必要がある。
【０００４】
このため、従来、図１４に示すように、ラッシングロッド４の下端に、所定のピッチで複数の突部４ａを設け、この複数の突部４ａのうち、ターンバックル４の上端に設けたロッド受け部７に最も近い位置の突部４ａを、ロッド受け部６ａに嵌め入れることによって、ターンバックル６の回転操作量を少なくすることが行われている（特許文献１の図５参照）。
【０００５】
図１４及び図１５は、ターンバックル６の上端に設けたロッド受け部７にラッシングロッド４の下端を挿通した状態を示し、図１６及び図１７は、図１４及び図１５に示す状態から、ターンバックル６の操作枠８を回転させて、ターンバックル６とラッシングロッド４を緊張させた状態を示している。
【０００６】
ターンバックル６の上端のロッド受け部７は、図１８に示すように、二股形状に形成され、この二股部の開口からラッシングロッド４を、ターンバックル６の操作枠８内に出し入れできるようにしている。
【０００７】
そして、上記二股部の下面には、図１９に示すように、ラッシングロッド４の突部４ａが嵌合するポケット部７ａが設けられ、ターンバックル６の操作枠８を回転させて、ラッシングロッド４の突部４ａを二股部の下面のポケット部７ａに嵌合させると、二股部の開口部からラッシングロッド４が外れなくなり、さらにターンバックル６の操作枠８を回転させることにより、ターンバックル６の締め付け作業が終了する。
【先行技術文献】
【特許文献】
【０００８】
【特許文献１】特開平５−２９６２９７号公報
【発明の開示】
【発明が解決しようとする課題】
【０００９】
ところで、上記ターンバックル６の操作枠８の上端に設けられるロッド受け部７は、上記のように、二股形状であるため、ターンバックル６の操作枠８を回転させて、二股部の開口が下面を向いた時に、ラッシングロッド４が二股部の開口から抜け出し、図１４に破線で示すように、ラッシングロッド４が上端のフック４ｃを回転中心にして元の垂直の状態に戻ることがある。
【００１０】
ラッシングロッド４が二股部の開口から抜け出し、図１４に破線で示すように、ラッシングロッド４が回転して元の垂直の状態に戻る際に、ラッシングロッド４が作業員等に当たる恐れがある。
【００１１】
また、ターンバックル６の緊張作業中に、図１に破線で示すように、ラッシングロッド４が元の垂直の状態に戻ると、作業員が腕を伸ばして、ラッシングロッド４を掴み直し、再度、ターンバックル６のロッド受け部７への装着をやり直す必要が生じるため、作業効率が甚だ悪い。
【００１２】
そこで、この発明は、ターンバックルの回転操作中に、ラッシングロッドがターンバックルの操作枠の二股部の開口から抜け出さないようにして、ターンバックルの締め付け作業の効率を向上し、コンテナ固締作業中における作業員の安全性を向上させることを課題とするものである。
【課題を解決するための手段】
【００１３】
前記の課題を解決するために、この発明は、操作枠と、この操作枠の下端に設けた軸受部にネジ結合され、操作枠の回転により操作枠の軸方向に相対的に進退するネジ軸とを備え、操作枠の上端に、ラッシングロッドを操作枠に対して進退自在に挿通するロッド受け部を設け、このロッド受け部に、ラッシングロッドを操作枠内に出し入れする二股部を形成し、ロッド受け部の下面に、ラッシングロッドの下端に所定のピッチで設けられた突部を嵌合するポケット部を設けたターンバックルにおいて、上記ラッシングロッドを操作枠内に出し入れする二股部の開口を開閉する開閉アームをロッド受け部に設けたことを特徴とする。
【００１４】
この発明のターンバックルは、開閉アームを開くことによって、ラッシングロッドを操作枠内に挿入することができ、開閉アームを閉じると、二股部の開口が閉じられるので、操作枠を回転させても、ラッシングロッドが二股部から抜け落ちない。
【発明の効果】
【００１５】
この発明に係るターンバックルは、上記のように、ターンバックルの回転操作中に、ラッシングロッドがターンバックルの操作枠の二股部の開口から抜け出さないので、ターンバックルの締め付け作業の効率が向上し、コンテナ固締作業中における作業員の安全性も向上する。
【図面の簡単な説明】
【００１６】
【図１】この発明のターンバックルの開閉アームを開いてラッシングロッドをロッド受け部に嵌め入れた状態の全体図である。
【図２】図１のターンバックルとラッシングロッドの関係を示す拡大図である。
【図３】図１の状態から開閉アームを閉じてターンバックルの操作枠を回転させることによりターンバックルを緊張させた状態を示す全体図である。
【図４】図３のターンバックルとラッシングロッドの関係を示す拡大図である。
【図５】この発明のターンバックルの開閉アームを開いた状態を示す平面図である。
【図６】図５の部分正面図である。
【図７】この発明のターンバックルの開閉アームを閉じた状態を示す平面図である。
【図８】図７の部分正面図である。
【図９】図７の部分右側面図である。
【図１０】この発明の他の実施形態のターンバックルの開閉アームを閉じた状態を示す平面図である。
【図１１】図１０のターンバックルの開閉アームを開いた状態を示す平面図である。
【図１２】この発明の他の実施形態のターンバックルの開閉アームを閉じた状態を示す平面図である。
【図１３】図１２の部分右側面図である。
【図１４】従来のターンバックルのロッド受け部にラッシングロッドを嵌め入れた状態の全体図である。
【図１５】図１４のターンバックルとラッシングロッドの関係を示す拡大図である。
【図１６】図１４の状態からターンバックルの操作枠を回転させることによりターンバックルを緊張させた状態を示す全体図である。
【図１７】図１６のターンバックルとラッシングロッドの関係を示す拡大図である。
【図１８】従来のターンバックルの平面図である。
【図１９】従来のターンバックルの部分縦断正面図である。
【発明を実施するための形態】
【００１７】
以下、この発明の実施の形態を添付図面に基づいて説明する。
【００１８】
この発明に係るターンバックル１０は、左右２本の操作ロッド１１ａ、１１ｂによって構成される操作枠１１と、この操作枠１１の下端に設けた上下一対の軸受部１２ａ、１２ｂにネジ結合され、操作枠１１の回転により操作枠１１の軸方向に相対的に進退するネジ軸１３とを備えている。
【００１９】
ネジ軸１３の下端には、甲板上のラッシングブリッジに設けられた係留金具５に連結する二股形状の連結部１４が設けられ、連結部１４には連結ピン１５が挿通されている。
【００２０】
また、上記連結部１４と下方の軸受部１２ａとの間のネジ軸１３には、操作枠１１を回転させてラッシングロッド４と操作枠１１とを緊張させた後に、操作枠１１の回転による弛みが生じないようにするための弛み止めナット１６を設けている。
【００２１】
操作枠１１の上端には、ラッシングロッド４を操作枠１１に対して進退自在に挿通するロッド受け部１７を設けている。
【００２２】
このロッド受け部１７は、図５に示すように、ラッシングロッド４を操作枠１１内に出し入れする二股部１７ａ有する。
【００２３】
この発明に係るターンバックルに使用するラッシングロッド４は、上記二股部１７ａの開口に出し入れ可能な直径のロッド軸４ｂからなり、このロッド軸４ｂの上端に、コンテナ１のコーナ金具２に設けた係合孔３に引っ掛けるフック４ｃがピン４ｄによって連結されている。
【００２４】
また、上記ロッド軸４ｂの下端には、所定のピッチでロッド軸４ｂの直径よりも大径の突部４ａが複数設けられている。突部４ａは、逆円錐台形に形成されている。
【００２５】
上記ロッド受け部１７の二股部１７ａの下面には、ラッシングロッド４の下端に所定のピッチで設けられた突部４ａを嵌合するポケット部１７ｂを設けている。
【００２６】
上記ロッド受け部１７の二股部１７ａにラッシングロッド４のロッド軸４ｂを挿通した状態では、図５及び図６に示すように、ラッシングロッド４は、軸方向に進退可能になっている。
【００２７】
そして、操作枠１１を回転させて、操作枠１１をネジ軸１３に対して下降させると、ラッシングロッド４の突部４ａが、図８に示すように、ロッド受け部１７の二股部１７ａの下面のポケット部１７ｂに嵌合し、この状態で、操作枠１１をさらに回転させることにより、ラッシングロッド４と操作枠１１とが緊張する。
【００２８】
この発明に係るターンバックルには、図５に示すように、ラッシングロッド４のロッド軸４ｂを、ロッド受け部１７の二股部１７ａに挿し入れる際に、上方に開き、ロッド受け部１７の二股部１７ａにラッシングロッド４のロッド軸４ｂ挿し入れた後に、図７に示すように、ロッド受け部１７の二股部１７ａの開口部を閉じて、ロッド受け部１７の二股部１７ａからのラッシングロッド４のロッド軸４ｂの脱落を防止する開閉アーム１８を、ロッド受け部１７の二股部１７ａの上面に設けている。
【００２９】
開閉アーム１８は、図７に示すように、ロッド受け部１７の二股部１７ａと直交する二股形状に形成されている。
【００３０】
ロッド受け部１７の二股部１７ａの上面には、開閉アーム１８を回転自在に支持する対向一対の支柱１９が設けられ、二股形状の開閉アーム１８の付け根部１８ａが、支柱１９間に嵌め入れられている。
【００３１】
対向する支柱１９と、開閉アーム１８の付け根部１８ａとには、開閉アーム１８の回転軸になるボルト２０が挿通されている。
【００３２】
開閉アーム１８の付け根部１８ａには、切欠き部１８ｂが設けられ、この切欠き部１８ｂのボルト２０には、つる巻バネ２１が装着され、つる巻ばね２１によって開閉アーム１８がロッド受け部１７の二股部１７ａの上面に当接するように、即ち、開閉アーム１８を閉じる方向に付勢している。
【００３３】
開閉アーム１８を図５及び図６に示すように、上方へ手で押し上げると、つる巻ばね２１が縮んで、ロッド受け部１７の二股部１７ａが開き、手で押し上げた開閉アーム１８を離すと、開閉アーム１８がロッド受け部１７の二股部１７ａの上面に当接するように、つる巻ばね２１によって戻される。
【００３４】
開閉アーム１８を開いて二股部１７ａ内にラッシングロッド４のロッド軸４ｂを挿し入れた後に、図７及び図８に示すように、開閉アーム１８を閉じると、操作枠１１を回転させても、ロッド受け部１７の二股部１７ａからラッシングロッド４のロッド軸４ｂが抜け出さない。
【００３５】
ロッド受け部１７の二股部１７ａの開口が下方向を向くと、ラッシングロッド４の応力が開閉アーム１８に加わる。この開閉アーム１８に加わる応力を受けるために、ストッパー２２を二股部１７ａの上面に設けている。
【００３６】
図５及び図６に示すように、開閉アーム１８を手で持ち上げる際に、指先が開閉アーム１８の先端に掛かり易くするために、開閉アーム１８の先端に、指掛け用の傾斜面２３を形成している。
【００３７】
次に、図１０及び図１１は、この発明のターンバックル１０の他の実施形態であり、この実施形態は、開閉アーム１８を開閉するつる巻ばね２１に替え、ロッド受け部１７の支柱１９と、開閉アーム１８の付け根部１８ａとの間に、スプリングワッシャ２４を嵌め入れ、スプリングワッシャ２４の弾性により、開閉アーム１８を、図１０に示す閉じた位置と、図１１に示す開いた位置に固定できるようにしている。
【００３８】
また、この図１０及び図１１に示す実施形態では、開閉アーム１８の開閉に便利なように、開閉アーム１８に指掛け部２５を設けている。
【００３９】
次に、図１２及び図１３は、この発明のターンバックルの他の実施形態であり、この実施形態は、開閉アーム１８を開いた位置と、閉じた位置にそれぞれ固定できるロック手段を、開閉アーム１８の付け根部に収容された、バネ２６によってロッド受け部１７の支柱１９側に押し付けるボール２７と、このボール２７が、開閉アーム１８が開いた位置と閉じた位置で嵌まる、ロッド受け部１７の支柱１９に設けられた凹所２８とによって構成している。
【符号の説明】
【００４０】
１  コンテナ
２  コーナ金具
３  係合孔
４  ラッシングロッド
４ａ  突部
４ｂ  ロッド軸
４ｃ  フック
４ｄ  ピン
５  係留金具
１０  ターンバックル
１１  操作枠
１１ａ、１１ｂ  操作ロッド
１２ａ、１２ｂ  軸受部
１３  ネジ軸
１４  連結部
１５  連結ピン
１６  弛み止めナット
１７  ロッド受け部
１７ａ  二股部
１７ｂ  ポケット部
１８  開閉アーム
１８ａ  付け根部
１８ｂ  切欠き部
１９  支柱
２０  ボルト
２１  つる巻バネ
２２  ストッパー
２３  傾斜面
２４  スプリングワッシャ
２５  指掛け部
２６  バネ
２７  ボール
２８  凹所
【図１】
0005757784.tif 000002
【図２】
0005757784.tif 000003
【図３】
0005757784.tif 000004
【図４】
0005757784.tif 000005
【図５】
0005757784.tif 000006
【図６】
0005757784.tif 000007
【図７】
0005757784.tif 000008
【図８】
0005757784.tif 000009
【図９】
0005757784.tif 000010
【図１０】
0005757784.tif 000011
【図１１】
0005757784.tif 000012
【図１２】
0005757784.tif 000013
【図１３】
0005757784.tif 000014
【図１４】
0005757784.tif 000015
【図１５】
0005757784.tif 000016
【図１６】
0005757784.tif 000017
【図１７】
0005757784.tif 000018
【図１８】
0005757784.tif 000019
【図１９】
0005757784.tif 000020